(57)【要約】      （修正有）【課題】例えばテーブルに置いてプレートや皿を載せるという単一の機能を満たすものである公知のマットに、特に２又は３以上の代替用途を供し得るコンバーチブルマットを提供する。【解決手段】コンバーチブルマット１０は、全体として平坦なベース及びベースの周囲に延伸する縁を有する。縁は、ウエブによって互いに連結している縁セクションを有し、ウエブは、縁セクションがベースと同一平面上にある第１ポジションと、縁セクションが傾斜してトレイが形成される第２ポジションの間で縁セクションを一緒に動かすことができ、単一で実質的に折り畳まれず、ベース及び縁セクションよりも薄いウエブセクションである。【選択図】図４
0003187905.tif 000002
【実用新案登録請求の範囲】
【請求項１】
全体として平坦なベース及び該ベースの周囲に延伸する縁を有するコンバーチブルマットであって、前記縁が、ウエブによって互いに連結している縁セクションを有し、前記ウエブが、縁セクションがベースと同一平面上にある第１ポジションと、縁セクションが傾斜してトレイが形成される第２ポジションの間で縁セクションを一緒に動かすことができ、単一で実質的に折り畳まれないウエブセクションである、コンバーチブルマット。
【請求項２】
縁がベースの周縁部から延伸している、請求項１に記載のマット。
【請求項３】
縁がベースにヒンジ接続している、請求項１又は２に記載のマット。
【請求項４】
折り畳むことによって縁を動かすことができる、請求項１〜３のいずれかに記載のマット。
【請求項５】
縁がベースと一体成型されている、請求項１〜４のいずれかに記載のマット。
【請求項６】
ベース面に対して縁をどちらの方向にも動かせることにより、リバーシブルである、請求項１〜５のいずれかに記載のマット。
【請求項７】
縁が１又は２以上のハンドルを含む、請求項１〜６のいずれかに記載のマット。
【請求項８】
ハンドルが、それぞれの縁セクションの開口部を含む、請求項７に記載のマット。
【請求項９】
ベースが硬質である、請求項１〜８のいずれかに記載のマット。
【請求項１０】
縁セクションが硬質である、請求項１〜９のいずれかに記載のマット。
【請求項１１】
カバーを有する、請求項１〜１０のいずれかに記載のマット。
【請求項１２】
カバーが皮革又は模造革を含む、請求項１１に記載のマット。
【請求項１３】
ベースが実質的に長方形である、請求項１〜１２のいずれかに記載のマット。
【請求項１４】
縁が、ベースの２つの短手面に沿って延伸し、それぞれがハンドルを有する２つの縁セクションを含む、請求項１３に記載のマット。
【請求項１５】
縁の周縁部が、ベースの周縁部に対して全体として平行である、請求項１〜１４のいずれかに記載のマット。
【請求項１６】
縁セクションの少なくとも１つが全体として台形である、請求項１〜１５のいずれかに記載のマット。
【請求項１７】
ウエブが全体として三角形である、請求項１〜１６のいずれかに記載のマット。
【請求項１８】
ウエブが柔軟である、請求項１〜１７のいずれかに記載のマット。
【請求項１９】
ウエブが、折線によって隣接する縁セクションの端部に連結している、請求項１〜１８のいずれかに記載のマット。
【請求項２０】
第２ポジションにおいてウエブの面が隣接する縁セクションの面と平行である、請求項１〜１９のいずれかに記載のマット。
【請求項２１】
縁セクションの少なくとも１つがベースの外縁を越えて延伸する、請求項１〜２０のいずれかに記載のマット。
【請求項２２】
実質的に、添付の図面を参照して上記に記載された、及び添付の図面に示された、マット。
【請求項２３】
プレースマットが含まれる、請求項１〜２２のいずれかに記載のマット。
【請求項２４】
建築工業用マット又はＤＩＹ運搬用マットが含まれる、請求項１〜２２のいずれかに記載のマット。
【考案の詳細な説明】
【技術分野】
【０００１】
本発明は、一般的にマットに、特に２又は３以上の代替用途を提供するコンバーチブルマットに関する。
【背景技術】
【０００２】
様々な状況におけるマットを提供することが知られており、例えばファブリック片又は平坦素材は、床又はその他の平坦な面に置かれ、その下の表面を保護することなどの様々な目的に役立っている。例えば、プレースマットは、レストラン又は家庭で使用されるテーブル保護パッドであり、その主な機能は、水の跡、食物の汚れ又は熱損傷からテーブルを保護することである。
【考案の概要】
【考案が解決しようとする課題】
【０００３】
公知のマットは、例えばテーブルに置いてプレートや皿を載せるという単一の機能を満たすものである。本発明の課題は、そのような公知のマット様構造又はパッド様構造の改善にある。
【考案を実施するための形態】
【０００４】
本発明の第１の態様によると、全体として（generally）平坦なベース及び該ベースの周囲に延伸する縁を有するコンバーチブルマットであって、前記縁が、ウエブによって互いに連結している縁セクションを有し、前記ウエブが、縁セクションがベースと同一平面上にある第１ポジションと、縁セクションが傾斜してトレイが形成される第２ポジションの間で縁セクションを一緒に動かすことができ、単一で実質的に折り畳まれないウエブセクションである、コンバーチブルマットが提供される。
【０００５】
したがって、本発明では、物（item）を運搬すること、又は物を支持面上で受け取ることという二重の目的に役立つよう、トレイとして別の機能をも有するマットを提供する。これにより、マットが、物を支持面まで運搬することと、前記物を前記支持面上で受け取ることの両方に使用することが可能となる。かかるマットは平坦形状とトレイ形状とに転換可能（convertible）であるため、積載ステップと使用ステップをより容易なものとするために使用される。例えば、物の積載を容易にするためにマットをマット様平坦形状に転換し、次に運搬するためにトレイ様形状に転換し、前記物を例えばマットから降ろしたり、マット上で使用するために、支持面上で再びマット様形状に転換する。
【０００６】
本発明のさらなる態様では、全体として平坦なベース及び該ベースの少なくとも一部の周囲に延伸する縁を有するコンバーチブルマットであって、縁がベースと同一平面上にある第１ポジションから、縁がトレイを形成するように傾斜している第２ポジションへと縁を動かすことができるコンバーチブルマットが提供される。
【０００７】
縁は、ベースの周縁部から延伸していてもよい。縁が、周縁部の内側の位置から突出する実施形態も想定される。
【０００８】
縁は、ベースの周りに完全に延伸していてもよい。したがって、縁は実質的に連続していてもよい。或いは、縁は、ベースの別のセクションの周りに、例えば反対側に不連続縁セクションとして延伸していてもよい。
【０００９】
縁は、ベースにヒンジ接続させてもよい。例えば、第１ポジション及び第２ポジション間で動かせるように、ベースに対して縁を折り畳むことを可能とする一連の折線によって縁を可動状態で接続してもよい。
【００１０】
縁はベースと一体成型してもよい。言い換えれば、縁は、ベースと連続するように形成してもよい。しかし、いくつかの実施形態では、縁はベースと分離して、ベースに取外し可能に接続可能であってもよい。
【００１１】
縁は、動きを容易にするための接続ウエブを１又は２以上有していてもよい。これは、隣接し合う硬質縁セクションを接続するために柔軟な接続ウエブを使用できるよう、縁がベースの角部の周りで延伸することが必要な場合に特に関係することである。
【００１２】
縁は、マットを裏返しにできるよう、ベース面に対していずれの方向にも動かすことができる。このことは、例えば、ベースのどちら側も物を受ける面として使用できることを意味する。これにより、ベースの両側を例えば異なる色や異なる特性とするなど、所望の状況に応じて使用者が選択できる異なる仕様が可能となる。
【００１３】
縁は、１又は２以上のハンドルを有していてもよい。かかるハンドルはマットを持つために使用するが、そうするためにはマットをトレイ形状に維持する。ハンドルは、縁における開口部としてもよく、又は、例えば縁に連結させたストラップ又はループであってもよい。
【００１４】
ベースは実質的に長方形である。想定されるベースのその他の形としては、正方形、三角形又はその他の多角形が含まれる。規則的な形に加え、不規則な形も想定される。
【００１５】
縁の周縁部が、ベースの周縁部に対して全体として平行である。言い換えれば、縁は、ベースと同じ全体輪郭を有し、それに沿って縁がベースから延伸するラインが全体として縁の外側周縁部と平行である。
【００１６】
マットは双安定性であり得る。言い換えれば、マットポジション及びトレイポジションが安定しており、マット自体がそれらのポジションを維持するが、かかるポジションからポジションへと「反転させる（flipped）」ことができる。
【００１７】
いくつかの実施形態では、マットをトレイ形状に保つ手段が提供される。例えば、磁性素材及び強磁性素材の列を角部に配置し、縁部を一時的にくっつけてもよい。
【００１８】
縁は、長方形ベースの２つの短手面に沿って延伸し、そのいずれか又は両方がハンドルを有する２つの縁セクションを含んでいてもよい。
【００１９】
縁の周縁部は、ベースの周縁部と全体として平行であり得る。
【００２０】
縁セクションの少なくとも１つは全体として三角形であり得る。
【００２１】
ウエブが存在するとき、かかるウエブは全体として三角形であり得る。ウエブは、使用時に折り畳まれないように構成されているが、柔軟であってもよい。ウエブは、折線によって隣接する縁セクションの端部に連結していてもよい。
【００２２】
第２ポジションにおいてウエブの面は、隣接する縁セクションの面と平行であり得る。
【００２３】
縁セクションの少なくとも１つが、ベースの外縁を越えて延伸していてもよい。
【００２４】
マットは、適切な任意の素材で作製することができ、例えば、紙、木材、金属、プラスチック、ファブリック等の合成素材及び/又は天然素材を含み得る。マットは、皮革カバー又は模造革カバー等のカバーを含んでもよい。マット及び任意のカバーを形成する素材は、所望の特性に基づいて選択することができる。例えば、テーブルプレースマットには耐熱性が要求され得る。
【００２５】
マットにはプレースマットが含まれる。したがって本発明は、トレイ形状のマットとして物を運搬してテーブルに置かれ、その後、物にアクセスするときに縁が干渉しないようなマット形状に変換されるような、プレートや皿などを受け取ることを意図するテーブルプレースマットとして形成することができる。
【００２６】
本発明の更なる態様では、全体として平坦なベース及び少なくともベースの一部の周囲に延伸する縁を有するコンバーチブルマットであって、縁がベースと同一平面上にある第１ポジションから、縁がトレイを形成するように傾斜している第２ポジションへと縁を動かすことができるコンバーチブルマットが提供される。
【００２７】
本発明の別の適用としては、例えば、マットを床に置き、材料を容易に載せ、次に運搬が容易なようにトレイ形状に転換させることが可能な、建築産業における使用、又は成形プラスチック（ポリプロピレン等）を例えば物を集めて移動させるために使用することが可能な、ＤＩＹ産業における使用などが想定される。
【００２８】
本発明のさらなる具体的及び好適な態様及び実施形態は、付属の独立請求項及び従属請求項に示される。従属請求項の特徴は、適宜、独立請求項の特徴と組み合わせることができ、請求項に明示している以外の組合せとすることもできる。
【００２９】
次に、本発明について、付属の図面を参照しつつ、例としてより具体的に説明する。
【図面の簡単な説明】
【００３０】
【図１】本発明により形成されたマットの平面図である。
【図２】図１のマットの１つの角部の拡大図である。
【図３】第１平坦ポジションを残すマットの斜視図である。
【図４】中間ポジションで示されるマットの斜視図である。
【図５】図４のマットの１つの角部の拡大図である。
【図６】第２ポジションで示されるマットの斜視図である。
【図７】図６のマットの１つの角部の拡大図である。
【図８】図６のマットを平坦ポジションへと広げつつある様子を示す斜視図である。
【図９】マットが１８０°回転される様子を示す斜視図である。
【図１０】図９のマットを完全に裏返したところを示す斜視図である。
【図１１】図１０のマットを第２ポジションで示す斜視図である。
【図１２】図１１のマットにおいて、その端部を反対側に反転させる様子を示す斜視図である。
【００３１】
まず、図１は、全体として１０で表わすコンバーチブルマットを示す図である。
【００３２】
マット１０は、４つの側面２１、２２、２３、２４を有する全体として長方形のパッド様ベース２０を有する。ベース２０の各側面の周縁部から縁セクション２５、２６、２７、２８がそれぞれ延伸し、これら縁セクションがそれぞれ折線３０、３１、３２、３３によってベース側に連結している。
【００３３】
ベース２０の長手面２１、２３に沿って延伸する縁セクション２５、２７は全体として台形である。ベース２０の短手面２２、２４に沿って延伸する縁セクション２６、２８は全体として長方形である。
【００３４】
縁セクション２５、２６、２７、２８は、全体として三角形の接続ウエブ３５、３６、３７、３８によってベースの角部で連結されている。これらウエブ３５、３６、３７、３８は、それぞれの折線３５ａ、３５ｂ、３６ａ、３６ｂ、３７ａ、３７ｂ、３８ａ、３８ｂによって、隣接する縁セクションの端部に連結している。
【００３５】
ベース２０及び縁セクション２５、２６、２７、２８は、比較的硬質な素材で形成される。ウエブ３５、３６、３７、３８は、それより柔軟な素材で形成される。本実施態様では、ベース及び縁セクションは、補強パネルで形成され、マット全体は皮革で覆われている。ウエブ３５、３６、３７、３８には、補強パネルは含まれず、柔軟性をもたせるために単に皮革を有する。
【００３６】
縁セクション２６、２８は各々、全体として楕円形で、ハンドルを形成する切抜部４０、４１を有する。
【００３７】
図１及び図２に示す形状では、マット１０は全体として一平面状態にあり、テーブル又は床面などの平坦な面に載置する場合、一般的にこの形状が採用される。この形状では、ベース２０に物を載せて運搬及び/又は使用することが容易である。マット１０は、図３〜７と関連して以下に説明するトレイ様形状へと変化させることが可能である。
【００３８】
図３に示すように、使用者はその手を縁セクション２６、２８の下に添え、図６に示すように前記縁セクションを持ち上げ始める。セクション２６、２８は、ウエブ３５、３６、３７、３８によってセクション２５、２７と連結するので、セクション２５、２７もまた上方に折り畳まれ始める。各セクション２５、２６、２７、２８は、それぞれの折線２１、２２、２３、２４に沿って折り畳まれ、図５に示すように接続ウエブの折線に沿っても折れ曲がりが生じる。ウエブは折曲げを生じさせるものの、ウエブ自体は折り畳まれずに、その周縁折線で折曲げが生じる点に留意しなければならない。
【００３９】
図６では、マット１０が、縁セクション２５、２６、２７、２８の全てが上方かつ内側に折り畳まれた第２端部ポジションで示される。この形状では、使用者がハンドル４０、４１によって、ターンされた状態でマットを持つことができるので、マットがトレイ様形状で維持され、物の容易な運搬が可能になる。
【００４０】
本実施形態では、全ての折線が、それぞれの縁及び接続ウエブがいずれの方向にも折り曲げられるように組み立てられている。よって、マットは、図６のトレイ様形状から、縁セクション２６、２８を引き下ろすことにより、図８に示される平坦な形状に戻すことができる。次に、マットを図９に示すように１８０°反転させ、図１０に示すようにベース２０の反対面を表にすることができる。そして、縁セクション２６、２８を反対側に折り畳み、マット１０を図１１に示すようにトレイ様形状に戻すことができる。これは、図６では上側の面を形成したベース２０の面が、今度は図１２に示すように裏面を形成することを意味する。
【００４１】
この実施形態では、マット１０はプレースマットとして表わされるが、別の実施形態では、種々の目的のために種々の素材を用いるより大きなマット又はより小さなマットを提供するために、サンプル・プリンシパル（sample principals）を採用することができる。
【００４２】
添付図面を参照しながら、本発明の実施形態例を本明細書に詳細に開示しているが、本発明は、かかる明確な実施形態に限定されず、付属のクレーム及びその均等物で定義した発明の範囲を逸脱することなく、当業者が本発明に様々な変更及び修正を加えることができるものと理解される。
【図１】
0003187905.tif 000003
【図２】
0003187905.tif 000004
【図３】
0003187905.tif 000005
【図４】
0003187905.tif 000006
【図５】
0003187905.tif 000007
【図６】
0003187905.tif 000008
【図７】
0003187905.tif 000009
【図８】
0003187905.tif 000010
【図９】
0003187905.tif 000011
【図１０】
0003187905.tif 000012
【図１１】
0003187905.tif 000013
【図１２】
0003187905.tif 000014
【手続補正書】
【提出日】平成25年8月7日(2013.8.7)
【手続補正１】
【補正対象書類名】実用新案登録請求の範囲
【補正対象項目名】全文
【補正方法】変更
【補正の内容】
【実用新案登録請求の範囲】
【請求項１】
全体として平坦なベース及び該ベースの周囲に延伸する縁を有するコンバーチブルマットであって、前記縁が、ウエブによって互いに連結している縁セクションを有し、前記ウエブが、縁セクションがベースと同一平面上にある第１ポジションと、縁セクションが傾斜してトレイが形成される第２ポジションの間で縁セクションを一緒に動かすことができ、単一で実質的に折り畳まれず、前記ベース及び縁セクションよりも薄いウエブセクションである、コンバーチブルマット。
【請求項２】
縁がベースの周縁部から延伸している、請求項１に記載のマット。
【請求項３】
縁がベースにヒンジ接続している、請求項１又は２に記載のマット。
【請求項４】
縁がベースと一体成型されている、請求項１〜３のいずれかに記載のマット。
【請求項５】
ベース面に対して縁をどちらの方向にも動かせることにより、リバーシブルである、請求項１〜４のいずれかに記載のマット。
【請求項６】
ベースが硬質である、請求項１〜５のいずれかに記載のマット。
【請求項７】
縁セクションが硬質である、請求項１〜６のいずれかに記載のマット。
【請求項８】
ベースが実質的に長方形である、請求項１〜７のいずれかに記載のマット。
【請求項９】
縁が、ベースの２つの短手面に沿って延伸し、それぞれがハンドルを有する２つの縁セクションを含む、請求項８に記載のマット。
【請求項１０】
縁セクションの少なくとも１つが全体として台形である、請求項１〜９のいずれかに記載のマット。
【請求項１１】
ウエブが全体として三角形である、請求項１〜１０のいずれかに記載のマット。
【請求項１２】
ウエブが柔軟である、請求項１〜１１のいずれかに記載のマット。
【請求項１３】
ウエブが、折線によって隣接する縁セクションの端部に連結している、請求項１〜１２のいずれかに記載のマット。
【請求項１４】
第２ポジションにおいてウエブの面が隣接する縁セクションの面と平行である、請求項１〜１３のいずれかに記載のマット。
【請求項１５】
縁セクションの少なくとも１つがベースの外縁を越えて延伸する、請求項１〜１４のいずれかに記載のマット。